(57)【要約】【課題】故障している受信部を特定すること。【解決手段】受信信号に対する復調処理を実行する復調部１１ｂ、１２ｂ、及び復調部１１ｂ、１２ｂに入力される受信信号の信号レベルを調整する調整部１１ａ、１２ａを有する複数の受信部１１、１２と、受信信号の干渉波レベルに異常が検知されたとき、複数の受信部１１、１２のうち該受信信号を処理する受信部の調整部１１ａ、１２ａによる信号レベルの調整量に基づいて、該受信部が故障しているか否かを判定する制御部１３とを有する、基地局装置１０が提供される。【選択図】図１
2018061144.tif 000002
【特許請求の範囲】
【請求項１】
受信信号に対する復調処理を実行する復調部、及び前記復調部に入力される前記受信信号の信号レベルを調整する調整部を有する複数の受信部と、
前記受信信号の干渉波レベルに異常が検知されたとき、前記複数の受信部のうち該受信信号を処理する受信部の前記調整部による前記信号レベルの調整量に基づいて、該受信部が故障しているか否かを判定する制御部と
を有する、基地局装置。
【請求項２】
前記制御部は、前記受信信号の干渉波レベル及び該受信信号に対応する前記信号レベルの調整量を複数回参照し、該干渉波レベル及び該調整量が連続して異常値を示している場合に該受信信号を処理する受信部が故障していると判定する
請求項１に記載の基地局装置。
【請求項３】
前記基地局装置は、受信信号のノイズを低減するノイズ低減部を有する前段装置に接続されており、
前記制御部は、前記異常が検知されたとき、前記受信信号を処理する受信部と前記ノイズ低減部とが接続されていない場合には前記信号レベルの調整量に基づく判定を回避する
請求項１又は２に記載の基地局装置。
【請求項４】
受信信号に対する復調処理を実行する復調部、及び前記復調部に入力される前記受信信号の信号レベルを調整する調整部を有する複数の受信部を有する基地局装置が、前記受信信号の干渉波レベルに異常が検知されたとき、前記複数の受信部のうち該受信信号を処理する受信部の前記調整部による前記信号レベルの調整量に基づいて、該受信部が故障しているか否かを判定する
故障検出方法。
【発明の詳細な説明】
【技術分野】
【０００１】
本発明は、基地局装置、及び故障検出方法に関する。
【背景技術】
【０００２】
無線基地局の機能を提供する基地局装置には、受信したＲＦ（Radio Frequency）信号を復調する復調機能カードや、復調機能カードから出力されるベースバンド信号を処理するベースバンド処理機能カードなどが搭載される。復調機能カードやベースバンド処理機能カードは、例えば、プロセッサやメモリなどの回路を基板上に搭載したカードの形状を有し、それぞれ基地局装置の筐体にあるスロットに接続される。
【０００３】
複数のアンテナを利用してダイバーシチ受信などを実施する無線基地局の基地局装置には、複数の復調機能カードが搭載される。復調機能カードが故障した場合、故障した復調機能カードを特定できれば、復調機能カードの交換により素早く基地局装置の機能を回復することができる。そのため、復調機能カードなどの受信回路に生じた異常を正しく検出する技術の実現が望まれる。
【０００４】
受信回路の異常検出に関し、ＰＨＳの無線基地局を運用中に受信回路の異常を検出する方法が提案されている。この方法では、制御信号の送信時間に応じて検出対象の受信回路を順次ＯＮにし、アンテナスイッチから漏洩した送信信号を受信し、その送信信号の復調データ及び受信レベルに基づいて受信回路の異常を検出する方式が採用されている。
【０００５】
なお、ユーザデータの送受信に用いるＵ−Ｐｌａｎｅ（User-Plane）を利用して測位を行うＡ−ＧＰＳ（Assisted-Global Positioning System）測位方式が提案されている。
【先行技術文献】
【特許文献】
【０００６】
【特許文献１】特開2001-111463号公報
【特許文献２】特開2014-27532号公報
【発明の概要】
【発明が解決しようとする課題】
【０００７】
復調機能カードから出力されるベースバンド信号に基づいて干渉波レベル（例えば、Signal to Interference power Ratio (SIR)）が得られる。復調機能カードが正常に動作している場合、干渉波レベルはトラフィックの変動などに応じて変化する。復調機能カードに故障が生じると干渉波レベルにも故障の影響が生じる。
【０００８】
但し、復調機能カードの故障による干渉波レベルへの影響は様々である。例えば、復調機能カードの故障により、トラフィックの変動によらず干渉波レベルが固定値となることがある。干渉波レベルが異常に高くなる場合、干渉波レベルをチェックすることで復調機能カードの故障にたどり着ける可能性はある。しかし、通常運用時に観測される干渉波レベルと同程度のレベルに値が固定した場合など、干渉波レベルをチェックしても故障した復調機能カードを正しく特定できないことがある。
【０００９】
１つの側面によれば、本開示の目的は、故障している受信部を特定することが可能な基地局装置、及び故障検出方法を提供することにある。なお、復調機能カードは、受信部の一例である。
【課題を解決するための手段】
【００１０】
一態様によれば、受信信号に対する復調処理を実行する復調部、及び復調部に入力される受信信号の信号レベルを調整する調整部を有する複数の受信部と、受信信号の干渉波レベルに異常が検知されたとき、複数の受信部のうち該受信信号を処理する受信部の調整部によるレベルの調整量に基づいて、該受信部が故障しているか否かを判定する制御部とを有する、基地局装置が提供される。
【発明の効果】
【００１１】
故障している受信部を特定することができる。
【図面の簡単な説明】
【００１２】
【図１】第１実施形態に係る基地局装置の一例を示した図である。
【図２】第２実施形態に係る無線通信システムの一例を示した図である。
【図３】第２実施形態に係る無線基地局装置及び信号分離装置の一例を示したブロック図である。
【図４】第２実施形態に係る監視制御部の一例を示したブロック図である。
【図５】第２実施形態に係る呼処理制御部の一例を示したブロック図である。
【図６】第２実施形態に係る受信復調部の一例を示したブロック図である。
【図７】第２実施形態に係るＢＢ処理部の一例を示したブロック図である。
【図８】第２実施形態に係る無線基地局装置が受信復調部の故障を検出する際に実行する処理（片系故障の場合）の流れを示したシーケンス図である。
【図９】第２実施形態に係る無線基地局装置が受信復調部の故障を検出する際に実行する処理（両系故障の場合）の流れを示したシーケンス図である。
【図１０】第２実施形態に係る呼処理制御部が実行する処理の流れを示したフロー図である。
【図１１】第２実施形態に係る監視制御部が実行する処理の流れを示したフロー図である。
【発明を実施するための形態】
【００１３】
以下に添付図面を参照しながら、本発明の実施形態について説明する。なお、本明細書及び図面において実質的に同一の機能を有する要素については、同一の符号を付することにより重複説明を省略する場合がある。
【００１４】
＜１．第１実施形態＞
図１を参照しながら、第１実施形態について説明する。第１実施形態は、複数の受信部（例えば、受信信号の復調処理を実行する受信回路など）を有する基地局装置が、故障した受信部を正しく特定できるようにする方法に関する。図１は、第１実施形態に係る基地局装置の一例を示した図である。なお、図１に示した基地局装置１０は、第１実施形態に係る基地局装置の一例である。
【００１５】
基地局装置１０は、受信部１１、１２、及び制御部１３を有する。受信部１１は、調整部１１ａ、及び復調部１１ｂを有する。受信部１２は、調整部１２ａ、及び復調部１２ｂを有する。制御部１３は、メモリ１３ａに接続されている。
【００１６】
受信機能カードは、受信部１１、１２の一例である。ＡＧＣ（Automatic Gain Control）は、調整部１１ａ、１２ａの一例である。復調器（例えば、QPSK (Quadrature Phase-Shift Keying) Demodulator）は、復調部１１ｂ、１２ｂの一例である。
【００１７】
メモリ１３ａは、ＲＡＭ（Random Access Memory）、ＨＤＤ（Hard Disk Drive）、フラッシュメモリなどの記憶装置である。制御部１３は、ＣＰＵ（Central Processing Unit）、ＤＳＰ（Digital Signal Processor）、ＡＳＩＣ（Application Specific Integrated Circuit）、ＦＰＧＡ（Field Programmable Gate Array）などのプロセッサである。制御部１３は、例えば、メモリ１３ａに記憶されたプログラムを実行する。
【００１８】
復調部１１ｂ、１２ｂは、受信信号に対する復調処理を実行する。調整部１１ａ、１２ａは、復調部１１ｂ、１２ｂに入力される受信信号の信号レベルを調整する。図１の例では、基地局装置１０が前段装置２０に接続されている。また、前段装置２０は、アンテナ２１ａ、２１ｂ、及びノイズ低減部２２ａ、２２ｂを有する。なお、ＬＮＡ（Low Noise Amplifier）は、ノイズ低減部２２ａ、２２ｂの一例である。
【００１９】
この例では、ノイズ低減部２２ａが受信部１１に接続され、ノイズ低減部２２ｂが受信部１２に接続されている。そのため、アンテナ２１ａを介して受信された受信信号は、ノイズ低減部２２ａを経由して受信部１１に入力される。また、アンテナ２１ｂを介して受信された受信信号は、ノイズ低減部２２ｂを経由して受信部１２に入力される。
【００２０】
調整部１１ａは、復調部１１ｂが実行する復調処理に適したレベル値になるように受信信号の信号レベルを調整し、調整後の受信信号を出力する。調整部１１ａから出力される調整後の受信信号は、復調部１１ｂに入力される。また、調整部１１ａは、信号レベルの調整量を出力する。調整部１１ａから出力される信号レベルの調整量は、制御部１３に入力される。
【００２１】
同様に、調整部１２ａは、復調部１２ｂが実行する復調処理に適したレベル値になるように受信信号の信号レベルを調整し、調整後の受信信号を出力する。調整部１２ａから出力される調整後の受信信号は、復調部１２ｂに入力される。また、調整部１２ａは、信号レベルの調整量を出力する。調整部１２ａから出力される信号レベルの調整量は、制御部１３に入力される。
【００２２】
復調部１１ｂは、調整部１１ａから出力された調整後の受信信号に対する復調処理を実行してベースバンド信号を生成する。例えば、受信信号がＱＰＳＫ変調されている場合、復調部１１ｂは、受信信号のＩ（In-phase）成分及びＱ（Quadrature-phase）成分から信号点を特定し、特定した信号点に対応するビット列を出力する。復調部１１ｂから出力されるビット列は、ベースバンド信号として制御部１３に入力される。
【００２３】
同様に、復調部１２ｂは、調整部１２ａから出力された調整後の受信信号に対する復調処理を実行してベースバンド信号を生成する。例えば、受信信号がＱＰＳＫ変調されている場合、復調部１２ｂは、受信信号のＩ成分及びＱ成分から信号点を特定し、特定した信号点に対応するビット列を出力する。復調部１２ｂから出力されるビット列は、ベースバンド信号として制御部１３に入力される。
【００２４】
制御部１３は、復調部１１ｂ、１２ｂから出力されるベースバンド信号に基づいて受信部１１、１２にそれぞれ入力される受信信号の干渉波レベルを計算する。例えば、制御部１３は、干渉波レベルとして、信号電力に対する干渉電力の比率を表すＳＩＲを計算する。図１には、受信部１１、１２にそれぞれ入力される受信信号の干渉波レベル３１、３２（ＳＩＲの時間変化を示すグラフ）が例示されている。
【００２５】
制御部１３は、受信信号の干渉波レベルが所定の閾値ＴＨ1を連続して下回る区間が所定期間Ｔより大きい場合に、その干渉波レベルに異常があると判定する。なお、閾値ＴＨ1は、例えば、受信部１１、１２が正常動作している状況（通常運用時）における干渉波レベルの最低値に設定される。また、閾値ＴＨ1の情報は、メモリ１３ａに予め格納されている。
【００２６】
図１の例において、干渉波レベル３１は、対象期間において閾値ＴＨ1を下回っていないため、異常がないと判定される。一方、干渉波レベル３２は、ｔ1の時点で閾値ＴＨ1を下回り、ｔ1から所定期間Ｔが経過後のｔ2まで継続して閾値ＴＨ1を下回っている。この場合、制御部１３は、干渉波レベル３２に異常があると判定する。なお、所定期間Ｔは、例えば、通常運用時に干渉波レベルが閾値ＴＨ1を下回りうる期間に設定される。また、所定期間Ｔの情報は、メモリ１３ａに予め格納されている。
【００２７】
受信信号の干渉波レベルに異常が検知されたとき、制御部１３は、受信部１１、１２のうち、干渉波レベルに異常があると判定された受信信号に対応する信号レベルの調整量に基づいて、その受信部が故障しているか否かを判定する。
【００２８】
図１には、調整部１１ａ、１２ａからそれぞれ出力される調整量４１、４２（調整量の時間変化を示すグラフ）が例示されている。図１の例において、制御部１３は、調整量４１、４２のうち、異常があると判定した干渉波レベル３２に対応する調整量４２を参照し、ｔ1の時点からｔ2の時点まで継続して調整量４２が所定の閾値ＴＨ2を下回っている場合に受信部１２が故障していると判定する。
【００２９】
なお、閾値ＴＨ2は、例えば、受信部１１、１２が正常動作している状況（通常運用時）における調整量の最低値に設定される。また、閾値ＴＨ2の情報は、メモリ１３ａに予め格納されている。
【００３０】
図１の例では、受信部１２に対応する干渉波レベル３２に異常が認められ、さらに調整量４２にも異常が認められているため、上記のように受信部１２が故障していると判定される。このように、干渉波レベルの異常に加え、信号レベルの調整値について異常を確認することで、故障が疑われる受信部を正しく特定することが可能になる。
【００３１】
なお、上記の例では、干渉波レベルが継続的に異常値（閾値ＴＨ1を下回る値）を示している場合に異常と判定する方法を示したが、例えば、所定の時間間隔で干渉波レベルを複数回確認し、全て異常値である場合に異常と判定する方法に変形してもよい。調整値の異常を判定する方法についても、所定の時間間隔で調整値を複数回確認し、全て異常値である場合に異常と判定する方法に変形してもよい。
【００３２】
また、制御部１３は、干渉波レベルに異常が検知されたとき、その干渉波レベルに対応する受信部と、前段装置２０のノイズ低減部との接続状態を確認し、切断状態である場合に上記の判定を回避してもよい（変形例）。例えば、受信部１２とノイズ低減部２２ｂとの接続が切れている場合には受信部１２が故障と判定されないリスクがある。この変形例によれば、ノイズの影響による誤判定のリスクが低減される。このような変形例も第１実施形態の技術的範囲に属する。
【００３３】
以上、第１実施形態について説明した。
＜２．第２実施形態＞
次に、第２実施形態について説明する。第２実施形態は、受信信号の復調処理を実行する回路（受信復調部）を複数搭載している無線基地局装置が、故障した受信復調部を正しく特定できるようにする方法に関する。
【００３４】
［２−１．無線通信システム］
まず、図２を参照しながら、第２実施形態に係る無線通信システムについて説明する。図２は、第２実施形態に係る無線通信システムの一例を示した図である。なお、図２に示した無線通信システムは一例であり、第２実施形態に係る技術の適用範囲はこれに限定されない。但し、説明の都合上、以下では、図２の無線通信システムを例に説明を進める。
【００３５】
図２に示すように、上記の無線通信システムは、複数のアンテナを有する信号分離装置１００と、信号分離装置１００に接続される無線基地局装置２００とを有する。信号分離装置１００は、例えば、無線装置５１、５２から信号を受信する。なお、信号分離装置１００が無線装置５１から受信する信号を上り信号ＳU1と表記し、無線装置５２から受信する信号を上り信号ＳU2と表記する場合がある。
【００３６】
無線装置５１、５２は、例えば、携帯電話やスマートフォンなどの移動通信端末、ＰＣ（Personal Computer）やサーバ装置などのコンピュータ、或いは、無線中継局などの通信機器である。信号分離装置１００は、受信信号から上り信号ＳU1、ＳU2を分離して無線基地局装置２００に入力する。
【００３７】
上記の無線通信システムは、信号分離装置１００が有する複数のアンテナを利用して通信品質の向上を図る。例えば、上記の無線通信システムでは、ダイバーシチ受信やビームフォーミングなどの制御が実施される。ダイバーシチ受信の方式としては、例えば、空間ダイバーシチ、偏波ダイバーシチ、マルチパスダイバーシチ、周波数ダイバーシチなどの方式を適用することができる。
【００３８】
一例として、上記の無線通信システムでは、同じ内容で逆位相となる２種類の信号（２つのブランチ）を各アンテナで受信してフェージングの影響を抑制する方式が採用されているとする。無線基地局装置２００は、上り信号ＳU1、ＳU2の復調処理を実行してベースバンド信号を復元し、ベースバンド信号の処理を実行する。上り信号ＳU1、ＳU2の変調方式は任意であるが、説明の都合上、以下では、ＱＰＳＫが採用されているとして説明を進める。
【００３９】
［２−２．無線基地局装置］
ここで、図３を参照しながら、無線基地局装置２００について、さらに説明する。なお、信号分離装置１００についても説明を補足する。図３は、第２実施形態に係る無線基地局装置及び信号分離装置の一例を示したブロック図である。
【００４０】
図３に示すように、無線基地局装置２００は、受信復調部２０１、２０２と、ＢＢ（Base-Band）処理部２０３、２０４と、監視制御部２０５と、呼処理制御部２０６とを有する。他方、信号分離装置１００は、アンテナ１０１、１０２と、ＬＮＡ１０３、１０４とを有する。なお、ＬＮＡは、入力された信号を選択及び増幅する低雑音増幅器であり、ノイズを低減する機能を有する。
【００４１】
受信復調部２０１、２０２、ＢＢ処理部２０３、２０４、監視制御部２０５、及び呼処理制御部２０６のそれぞれは、例えば、誘電体などで形成される基板上にプロセッサやメモリなどのチップを搭載したカードの形で提供されうる。受信復調部２０１、２０２は受信復調カード、ＢＢ処理部２０３、２０４はＢＢ処理機能カード、監視制御部２０５は監視制御カード、呼処理制御部２０６は呼処理制御カードとして提供されうる。
【００４２】
カードは、無線基地局装置２００の筐体にあるスロットを介して接続される。そのため、一部のカードに故障が生じても、故障が生じたカードをスロットから抜き出し、正常に動作する同機能のカードをスロットに接続することで、無線基地局装置２００の機能を容易に回復させることができる。例えば、受信復調部２０１、２０２に対応する２つの受信復調機能カードが接続されている場合、一方の受信復調機能カードが故障した場合に、故障した受信復調機能カードを交換することで無線基地局装置２００の機能が回復する。
【００４３】
信号分離装置１００のアンテナ１０１を介して受信される信号は、ＬＮＡ１０３と受信復調部２０１とが接続されている場合、ＬＮＡ１０３を経由して受信復調部２０１に入力される。同様に、信号分離装置１００のアンテナ１０２を介して受信される信号は、ＬＮＡ１０４と受信復調部２０２とが接続されている場合、ＬＮＡ１０４を経由して受信復調部２０２に入力される。
【００４４】
受信復調部２０１は、信号分離装置１００から無線基地局装置２００に出力される信号の復調処理を実行してベースバンド信号を生成する。なお、受信復調部２０１は、復調処理の前段で、信号のレベル値を復調処理に適した所定のレベル値に調整する。受信復調部２０１により生成されるベースバンド信号は、ＢＢ処理部２０３に入力される。また、受信復調部２０１は、レベル値の調整量を呼処理制御部２０６に通知する。
【００４５】
同様に、受信復調部２０２により生成されるベースバンド信号は、ＢＢ処理部２０４に入力される。なお、受信復調部２０２は、復調処理の前段で、信号のレベル値を復調処理に適した所定のレベル値に調整する。受信復調部２０２により生成されるベースバンド信号は、ＢＢ処理部２０３に入力される。また、受信復調部２０２は、レベル値の調整量を呼処理制御部２０６に通知する。
【００４６】
ＢＢ処理部２０３は、受信復調部２０１から出力されるベースバンド信号の処理を実行する。また、ＢＢ処理部２０３は、処理対象のベースバンド信号に基づいて干渉波レベル（例えば、ＳＩＲ）を計算する。ＢＢ処理部２０３により計算された干渉波レベルは、呼処理制御部２０６に通知される。
【００４７】
同様に、ＢＢ処理部２０４は、受信復調部２０２から出力されるベースバンド信号の処理を実行する。また、ＢＢ処理部２０４は、処理対象のベースバンド信号に基づいて干渉波レベル（例えば、ＳＩＲ）を計算する。ＢＢ処理部２０４により計算された干渉波レベルは、呼処理制御部２０６に通知される。
【００４８】
呼処理制御部２０６は、ＢＢ処理部２０３、２０４から通知される干渉波レベル及び受信復調部２０１、２０２から通知されるレベル値の調整量に基づいて受信復調部２０１、２０２の故障を検知する。
【００４９】
例えば、ＢＢ処理部２０３から通知される干渉波レベルが異常値を示している場合、呼処理制御部２０６は、ＢＢ処理部２０３に対応する受信復調部２０１から通知されるレベル値の調整量を確認する。確認したレベル値の調整量が異常値を示している場合、呼処理制御部２０６は、受信復調部２０１が故障していると判定する。
【００５０】
但し、受信復調部２０１とＬＮＡ１０３との接続が切れている場合（ＬＮＡ１０３を経由していない信号が受信復調部２０１に入力されている場合）、呼処理制御部２０６は、受信復調部２０１が故障しているか否かの判定を回避する。なお、受信復調部２０１とＬＮＡ１０３との接続状態、及び受信復調部２０２とＬＮＡ１０４との接続状態は、監視制御部２０５が所定のタイミングで確認し、確認結果を呼処理制御部２０６に通知する。
【００５１】
ＬＮＡ１０３を経由していない信号の入力に対して受信復調部２０１が誤動作するリスクがある。ＬＮＡ１０３と受信復調部２０１との接続状態を確認することで、受信復調部２０１の誤動作を故障と誤判定するリスクが低減される。受信復調部２０２についても同様に、ＬＮＡ１０４と受信復調部２０２との接続状態を確認することで、受信復調部２０２の誤動作を故障と誤判定するリスクが低減される。
【００５２】
以下、監視制御部２０５、呼処理制御部２０６、受信復調部２０１、ＢＢ処理部２０３について、さらに説明する。なお、受信復調部２０２のハードウェア及び機能は受信復調部２０１と実質的に同じであるため、受信復調部２０２については詳細な説明を省略する。また、ＢＢ処理部２０４のハードウェア及び機能はＢＢ処理部２０３と実質的に同じであるため、ＢＢ処理部２０４については詳細な説明を省略する。
【００５３】
（監視制御部）
ここで、図４を参照しながら、監視制御部２０５について、さらに説明する。図４は、第２実施形態に係る監視制御部の一例を示したブロック図である。
【００５４】
図４に示すように、監視制御部２０５は、ＣＰＵ２５１、メモリ２５２、Ｌ２ＳＷ（L2 Switch）２５３、及びＦＰＧＡ２５４を有する。
ＣＰＵ２５１は、監視制御部２０５の動作を制御する。メモリ２５２は、ＲＡＭ、ＨＤＤ、フラッシュメモリなどの記憶装置である。ＣＰＵ２５１は、例えば、メモリ２５２に格納されているプログラムを実行する。ＦＰＧＡ２５４は、ＬＮＡ１０３、１０４の接続状態を定期的に監視し、その接続状態をＣＰＵ２５１に通知する。また、ＦＰＧＡ２５４は、受信復調部２０１、２０２に異常がある場合に、ＣＰＵ２５１による制御に応じて受信復調部２０１、２０２の制御（後述するエラー制御又は故障制御）を実施する。
【００５５】
Ｌ２ＳＷ２５３は、ＣＰＵ２５１と呼処理制御部２０６との間を中継するスイッチとして機能する。
例えば、Ｌ２ＳＷ２５３は、ＣＰＵ２５１がＬＮＡ１０３、１０４の接続状態を呼処理制御部２０６に通知する際、ＣＰＵ２５１から出力される接続状態の情報を呼処理制御部２０６に転送する。また、Ｌ２ＳＷ２５３は、故障が疑われる受信復調部（被疑受信復調部；干渉波レベル及びレベル値の調整量に異常がある受信復調部）を呼処理制御部２０６がＣＰＵ２５１に通知する際、呼処理制御部２０６から出力される被疑受信復調部の情報をＣＰＵ２５１に転送する。
【００５６】
監視制御部２０５が有する主な機能の１つは、ＬＮＡ１０３、１０４の接続状態を監視し、その接続状態を呼処理制御部２０６に通知する監視・通知機能にある。この監視・通知機能を実現するため、ＣＰＵ２５１は、予め設定された周期でＬＮＡ１０３と受信復調部２０１との間の接続状態及びＬＮＡ１０４と受信復調部２０２との接続状態を取得するようにＦＰＧＡ２５４の動作を制御する。また、ＣＰＵ２５１は、ＦＰＧＡ２５４から取得した接続状態をＬ２ＳＷ２５３に入力し、Ｌ２ＳＷ２５３を介して接続状態を呼処理制御部２０６に通知する。
【００５７】
監視制御部２０５が有する主な他の機能は、被疑受信復調部に対するエラー制御又は故障制御を実施する制御機能にある。この制御機能を実現するため、ＣＰＵ２５１は、Ｌ２ＳＷ２５３を介して呼処理制御部２０６から被疑受信復調部の情報を取得する。
【００５８】
被疑受信復調部の情報には、被疑受信復調部を特定する情報（受信復調部２０１、２０２の識別情報）、及び被疑受信復調部の状態（エラー状態、故障状態）を示す情報が含まれる。エラー状態は、被疑受信復調部に異常があるものの、信号の受信処理を実行できる状態である。故障状態は、被疑受信復調部が信号の受信処理を実行できない状態である。
【００５９】
エラー状態の場合、ＣＰＵ２５１は、被疑受信復調部に動作を継続させる制御を実施し、被疑受信復調部に異常がある旨をユーザに通知する。一方、故障状態の場合、ＣＰＵ２５１は、被疑受信復調部の動作を停止させ、被疑受信復調部が故障している旨をユーザに通知する。なお、ユーザへの通知は、例えば、無線基地局装置２００にある表示画面に通知内容を表示する方法や、ユーザが利用している端末装置（非図示）に通知内容を送信する方法などを用いて実施される。
【００６０】
（呼処理制御部）
次に、図５を参照しながら、呼処理制御部２０６について、さらに説明する。図５は、第２実施形態に係る呼処理制御部の一例を示したブロック図である。
【００６１】
図５に示すように、呼処理制御部２０６は、ＣＰＵ２６１、メモリ２６２、及びＬ２ＳＷ２６３を有する。
ＣＰＵ２６１は、呼処理制御部２０６の動作を制御する。メモリ２６２は、ＲＡＭ、ＨＤＤ、フラッシュメモリなどの記憶装置である。ＣＰＵ２６１は、例えば、メモリ２６２に格納されているプログラムを実行する。
【００６２】
Ｌ２ＳＷ２６３は、ＣＰＵ２６１と監視制御部２０５との間を中継するスイッチとして機能する。例えば、Ｌ２ＳＷ２６３は、監視制御部２０５がＣＰＵ２６１にＬＮＡ１０３、１０４の接続状態を通知する際、監視制御部２０５から出力される接続状態の情報をＣＰＵ２６１に転送する。
【００６３】
また、Ｌ２ＳＷ２６３は、ＣＰＵ２６１と受信復調部２０１、２０２との間を中継するスイッチとして機能する。さらに、Ｌ２ＳＷ２６３は、ＣＰＵ２６１とＢＢ処理部２０３、２０４との間を中継するスイッチとして機能する。
【００６４】
例えば、Ｌ２ＳＷ２６３は、ＣＰＵ２６１がＢＢ処理部２０３、２０４に対して干渉波レベルを通知するように要求する際、干渉波レベルの通知を要求する命令をＢＢ処理部２０３、２０４に転送する。また、Ｌ２ＳＷ２６３は、ＢＢ処理部２０３、２０４がＣＰＵ２６１に干渉波レベルを通知する際、ＢＢ処理部２０３、２０４から出力される干渉波レベルの情報をＣＰＵ２６１に転送する。
【００６５】
また、Ｌ２ＳＷ２６３は、ＣＰＵ２６１が受信復調部２０１、２０２に対してレベル値の調整量を通知するように要求する際、調整量の通知を要求する命令を受信復調部２０１、２０２に転送する。また、Ｌ２ＳＷ２６３は、受信復調部２０１、２０２がＣＰＵ２６１に調整量を通知する際、受信復調部２０１、２０２から出力される調整量の情報をＣＰＵ２６１に転送する。
【００６６】
呼処理制御部２０６が有する主な機能の１つは、通信・通話時の呼処理を制御する呼処理制御機能にある。また、呼処理制御部２０６が有する他の主な機能の１つは、被疑受信復調部を特定する特定機能にある。この特定機能を実現するため、ＣＰＵ２６１は、Ｌ２ＳＷ２６３を介してＢＢ処理部２０３、２０４から干渉波レベルの情報を取得する。また、ＣＰＵ２６１は、Ｌ２ＳＷ２６３を介して受信復調部２０１、２０２から調整量の情報を取得する。
【００６７】
また、ＣＰＵ２６１は、ＢＢ処理部２０３、２０４から取得した干渉波レベルの情報と、受信復調部２０１、２０２から取得した調整量の情報とに基づいて被疑受信復調部を特定する。そして、ＣＰＵ２６１は、Ｌ２ＳＷ２６３を介して被疑受信復調部を監視制御部２０５に通知する。このとき、ＣＰＵ２６１は、被疑受信復調部の情報として、被疑受信復調部を特定する情報（受信復調部２０１、２０２の識別情報）、及び被疑受信復調部の状態（エラー状態、故障状態）を示す情報を監視制御部２０５に送信する。
【００６８】
（受信復調部）
次に、図６を参照しながら、受信復調部２０１について、さらに説明する。図６は、第２実施形態に係る受信復調部の一例を示したブロック図である。なお、受信復調部２０２が有する要素は、受信復調部２０１と実質的に同じであるため、ここでは受信復調部２０１について説明し、受信復調部２０２に関する詳細な説明を省略する。
【００６９】
図６に示すように、受信復調部２０１は、受信回路２１１、２１２を有する。受信回路２１１、２１２は、信号分離装置１００が有する１つのＬＮＡ（図６の例ではＬＮＡ１０３）に対応し、１つのアンテナ（この例ではアンテナ１０１）から入力される信号の受信処理を実行する。なお、受信回路２１１、２１２は、互いに異なるブランチの処理を担当する。受信回路２１１、２１２が有する主な機能は、受信復調部２０１に入力されるＲＦ信号を復調してベースバンド信号を生成する復調機能にある。
【００７０】
受信回路２１１は、増幅器２１１ａ、２１１ｃ、混合器２１１ｂ、復調器２１１ｄ、及びＡＧＣ２１１ｅを有する。
受信回路２１１に入力されるＲＦ信号は、増幅器２１１ａ及びＡＧＣ２１１ｅに入力される。増幅器２１１ａは、入力されるＲＦ信号を増幅する初段の増幅器（例えば、ＬＮＡ）である。混合器２１１ｂは、増幅器２１１ａによる増幅後の信号に対し、局部発振器（非図示）で生成される搬送波を混合して所定の周波数を有するＩＦ（Intermediate Frequency）信号（Ｉ成分、Ｑ成分）を生成する周波数変換器として機能する。
【００７１】
増幅器２１１ｃは、後段の復調器２１１ｄで復調処理が可能なレベル値になるように、混合器２１１ｂから出力されるＩＦ信号を増幅する。このとき、増幅器２１１ｃは、ＡＧＣ２１１ｅによる増幅率の制御に応じてＩＦ信号のレベル値が一定になるようにレベル値を調整する。ＡＧＣ２１１ｅは、復調器２１１ｄへ入力されるＩＦ信号のレベル値が一定になるように、入力されるＲＦ信号の強弱に応じて増幅器２１１ｃの増幅率を制御する。
【００７２】
復調器２１１ｄは、増幅器２１１ｃから出力されるＩＦ信号を復調してベースバンド信号を生成する。例えば、変調方式がＱＰＳＫである場合、復調器２１１ｄは、入力されるＩＦ信号のＩ成分及びＱ成分に基づいてコンステレーション上の最近接信号点を特定し、特定した最近接信号点に対応するビット列をベースバンド信号として出力する。復調器２１１ｄから出力されるベースバンド信号は、ＢＢ処理部２０３に入力される。
【００７３】
上記のように、ＡＧＣ２１１ｅは、入力されるＲＦ信号の強弱に応じて、復調器２１１ｄに入力されるＩＦ信号のレベル値が一定になるように増幅器２１１ｃの増幅率を制御する。このとき、ＡＧＣ２１１ｅは、増幅器２１１ｃによる増幅前後のレベル差に対応するレベル値の調整量を呼処理制御部２０６に通知する。つまり、ＡＧＣ２１１ｅの制御に応じて変化したレベル値の変化幅（調整量）がＡＧＣ２１１ｅから呼処理制御部２０６に入力される。以下、レベル値の調整量をＡＧＣ出力と呼ぶ場合がある。
【００７４】
受信回路２１１と同様に、受信回路２１２は、増幅器２１２ａ、２１２ｃ、混合器２１２ｂ、復調器２１２ｄ、及びＡＧＣ２１２ｅを有する。
受信回路２１２に入力されるＲＦ信号は、増幅器２１２ａ及びＡＧＣ２１２ｅに入力される。増幅器２１２ａは、入力されるＲＦ信号を増幅する初段の増幅器（例えば、ＬＮＡ）である。混合器２１２ｂは、増幅器２１２ａによる増幅後の信号に対し、局部発振器（非図示）で生成される搬送波を混合して所定の周波数を有するＩＦ信号（Ｉ成分、Ｑ成分）を生成する周波数変換器として機能する。
【００７５】
増幅器２１２ｃは、後段の復調器２１２ｄで復調処理が可能なレベル値になるように、混合器２１２ｂから出力されるＩＦ信号を増幅する。このとき、増幅器２１２ｃは、ＡＧＣ２１２ｅによる増幅率の制御に応じてＩＦ信号のレベル値が一定になるようにレベル値を調整する。ＡＧＣ２１２ｅは、復調器２１２ｄへ入力されるＩＦ信号のレベル値が一定になるように、入力されるＲＦ信号の強弱に応じて増幅器２１２ｃの増幅率を制御する。
【００７６】
復調器２１２ｄは、増幅器２１２ｃから出力されるＩＦ信号を復調してベースバンド信号を生成する。例えば、変調方式がＱＰＳＫである場合、復調器２１２ｄは、入力されるＩＦ信号のＩ成分及びＱ成分に基づいてコンステレーション上の最近接信号点を特定し、特定した最近接信号点に対応するビット列をベースバンド信号として出力する。復調器２１２ｄから出力されるベースバンド信号は、ＢＢ処理部２０３に入力される。
【００７７】
上記のように、ＡＧＣ２１２ｅは、入力されるＲＦ信号の強弱に応じて、復調器２１２ｄに入力されるＩＦ信号のレベル値が一定になるように増幅器２１２ｃの増幅率を制御する。このとき、ＡＧＣ２１２ｅは、増幅器２１２ｃによる増幅前後のレベル差に対応するレベル値の調整量を呼処理制御部２０６に通知する。つまり、ＡＧＣ２１２ｅの制御に応じて変化したレベル値の変化幅（ＡＧＣ出力）がＡＧＣ２１２ｅから呼処理制御部２０６に入力される。
【００７８】
上述したＡＧＣ出力は、例えば、呼処理制御部２０６による通知の要求に応じて、ＡＧＣ２１１ｅ、２１２ｅから出力されてもよいし、所定のタイミング（一定周期など）でＡＧＣ２１１ｅ、２１２ｅから出力されてもよい。なお、説明の都合上、呼処理制御部２０６による通知の要求に応じてＡＧＣ２１１ｅ、２１２ｅからＡＧＣ出力が呼処理制御部２０６に通知されるとして説明を進める。
【００７９】
（ＢＢ処理部）
次に、図７を参照しながら、ＢＢ処理部２０３、２０４について、さらに説明する。図７は、第２実施形態に係るＢＢ処理部の一例を示したブロック図である。なお、図７に示した受信復調部２０２の復調器２２１ｄ、２２２ｄは、それぞれ、受信復調部２０１が有する復調器２１１ｄ、２１２ｄと実質的に同じ機能を有する要素である。
【００８０】
図７に示すように、ＢＢ処理部２０３は、信号処理ユニット２３１、２３２を有する。
信号処理ユニット２３１は、ＦＦＴ（Fast Fourier Transform）部２３１ａ、及びＳＩＲ計算部２３１ｂを有する。同様に、信号処理ユニット２３２は、ＦＦＴ部２３２ａ、及びＳＩＲ計算部２３２ｂを有する。なお、図７には、一例として、ＯＦＤＭ（Orthogonal Frequency Division Multiplexing）を採用する無線通信システムの無線基地局装置２００におけるＢＢ処理部２０３、２０４を示している。
【００８１】
ＯＦＤＭでは、送信側において、送信ビット列に対応するシンボル列を直並列変換してＩＦＦＴ（Inverse FFT）を施し、ＩＦＦＴの出力を連続信号に変換してベースバンド信号を生成し、連続信号に搬送波が掛け合わされてＲＦ信号が生成される。受信側では、受信したＲＦ信号をダウンコンバージョンしてベースバンド信号を生成し、そのベースバンド信号に対してＦＦＴによる復調を実施して復調信号が生成される。
【００８２】
ＦＦＴ部２３１ａは、復調器２１１ｄから出力されるベースバンド信号にＦＦＴを適用して復調信号を生成する。ＦＦＴ部２３１ａから出力される復調信号は、ＳＩＲ計算部２３１ｂに入力される。同様に、ＦＦＴ部２３２ａは、復調器２１２ｄから出力されるベースバンド信号にＦＦＴを適用して復調信号を生成。ＦＦＴ部２３２ａから出力される復調信号は、ＳＩＲ計算部２３２ｂに入力される。
【００８３】
ＳＩＲ計算部２３１ｂは、ＦＦＴ部２３１ａから出力される復調信号に基づいてＳＩＲを計算する。ＳＩＲは、信号電力に対する干渉波電力の大きさを示す指標であり、例えば、干渉波レベルの大きさを評価するための指標として利用される。同様に、ＳＩＲ計算部２３２ｂは、ＦＦＴ部２３２ａから出力される復調信号に基づいてＳＩＲを計算する。ＳＩＲ計算部２３１ｂ、２３２ｂにより計算されたＳＩＲは、干渉波レベルとして呼処理制御部２０６に通知される。
【００８４】
ＢＢ処理部２０４は、信号処理ユニット２４１、２４２を有する。信号処理ユニット２４１は、ＦＦＴ部２４１ａ、及びＳＩＲ計算部２４１ｂを有する。同様に、信号処理ユニット２４２は、ＦＦＴ部２４２ａ、及びＳＩＲ計算部２４２ｂを有する。
【００８５】
ＦＦＴ部２４１ａは、復調器２２１ｄから出力されるベースバンド信号にＦＦＴを適用して復調信号を生成する。ＦＦＴ部２４１ａから出力される復調信号は、ＳＩＲ計算部２４１ｂに入力される。同様に、ＦＦＴ部２４２ａは、復調器２２２ｄから出力されるベースバンド信号にＦＦＴを適用して復調信号を生成する。ＦＦＴ部２４２ａから出力される復調信号は、ＳＩＲ計算部２４２ｂに入力される。
【００８６】
ＳＩＲ計算部２４１ｂは、ＦＦＴ部２４１ａから出力される復調信号に基づいてＳＩＲを計算する。ＳＩＲは、信号電力に対する干渉波電力の大きさを示す指標であり、例えば、干渉波レベルの大きさを評価するための指標として利用される。同様に、ＳＩＲ計算部２４２ｂは、ＦＦＴ部２４２ａから出力される復調信号に基づいてＳＩＲを計算する。ＳＩＲ計算部２４１ｂ、２４２ｂにより計算されたＳＩＲは、干渉波レベルとして呼処理制御部２０６に通知される。
【００８７】
なお、一変形例として、スペクトラム拡散方式を採用する無線通信システムに適用する場合には、上記のＦＦＴが逆拡散の処理に変更される。
スペクトラム拡散の方式としては、ＤＳ（Direct Sequence）方式やＦＨ（Frequency Hopping）方式などがある。例えば、無線ＬＡＮやＺｉｇＢｅｅ（登録商標）ではＤＳ方式が採用されている。ＤＳ方式では、送信側でＰＮ（Pseudo random Noise）符号を利用してベースバンド信号から拡散符号を生成し、拡散符号を変調した信号が受信側へと送信される。受信側では、受信した信号を復調して拡散符号を復元し、ＰＮ符号を利用して拡散符号からベースバンド信号を復元する。そして、復元されるベースバンド信号に基づいてＳＩＲが計算される。このように、干渉波レベル（ＳＩＲなど）を評価することができれば、第２実施形態の技術を適用可能であり、様々な変調方式への応用が可能である。
【００８８】
以上、無線基地局装置２００について説明した。なお、上記の説明では、説明の都合上、アンテナ数を２、１つのアンテナに対応するブランチ数を２としているが、アンテナ数が３以上であってもよいし、１つのアンテナに対応するブランチ数が１であってもよい。このような変形も当然に第２実施形態の技術的範囲に属する。
【００８９】
［２−３．処理の流れ］
次に、無線基地局装置２００が実行する処理の流れについて説明する。
（片系故障の場合）
まず、図８を参照しながら、無線基地局装置２００が受信復調部２０１に生じた故障（正常に動作していない状態）を検出する際に実行する処理の流れについて説明する。
【００９０】
図８は、第２実施形態に係る無線基地局装置が受信復調部の故障を検出する際に実行する処理（片系故障の場合）の流れを示したシーケンス図である。但し、ここでは受信復調部２０１のうち受信回路２１１、２１２の一方（片系）が故障している場合について述べる。なお、受信復調部２０２が故障している場合も図８と同様の処理が実行される。
【００９１】
（Ｓ１０１）監視制御部２０５は、予め設定されているタイミング（例えば、一定周期）で、ＬＮＡ１０３、１０４と受信復調部２０１、２０２との接続状態を確認する。
なお、接続状態は、ＬＮＡ１０３、１０４から一定周期で監視制御部２０５に通知されてもよいし、監視制御部２０５による問い合わせに応じてＬＮＡ１０３、１０４から監視制御部２０５に通知されてもよい。接続状態を確認した監視制御部２０５は、接続状態の確認結果を呼処理制御部２０６に通知する（状態通知）。
【００９２】
（Ｓ１０２）呼処理制御部２０６は、予め設定されているタイミングでＢＢ処理部２０３にＳＩＲの通知要求（ＳＩＲ要求）を送信する。
但し、呼処理制御部２０６は、監視制御部２０５から受信した状態通知を参照し、ＬＮＡ１０３と受信復調部２０１とが接続されている場合に受信復調部２０１を対象とするＳ１０２以降の処理を実行する。つまり、呼処理制御部２０６は、受信復調部２０１に入力されるＲＦ信号がＬＮＡ１０３を介して入力されていない場合、受信復調部２０１に関するＳ１０２以降の処理を回避する。
【００９３】
同様に、呼処理制御部２０６は、ＬＮＡ１０４と受信復調部２０２とが接続されている場合に受信復調部２０２を対象とするＳ１０２以降の処理を実行する。つまり、呼処理制御部２０６は、受信復調部２０２に入力されるＲＦ信号がＬＮＡ１０４を介して入力されていない場合、受信復調部２０２に関するＳ１０２以降の処理を回避する。
【００９４】
なお、ＳＩＲ要求を送信するタイミングとしては、例えば、一定周期、予め設定されているイベント（ユーザの指示やスループットの低下など）の発生、或いは、状態通知の回数が所定回数に達した場合などがある。図８の例では、表記の都合上、ＢＢ処理部２０３だけにＳＩＲ要求が送信されているが、呼処理制御部２０６は、ＢＢ処理部２０４に対してもＳＩＲ要求を送信する。
【００９５】
（Ｓ１０３）ＢＢ処理部２０３は、呼処理制御部２０６からＳＩＲ要求を受信すると、ＳＩＲ要求に対する応答として、ＳＩＲ計算部２３１ｂ、２３２ｂから出力されるＳＩＲの情報を呼処理制御部２０６に送信する。なお、ＳＩＲ要求を受信したＢＢ処理部２０４も同様に呼処理制御部２０６に対してＳＩＲの情報（応答）を返すが、図８の例ではＢＢ処理部２０４のＳＩＲに異常がないとする。
【００９６】
（Ｓ１０４）呼処理制御部２０６は、ＢＢ処理部２０３、２０４から受信したＳＩＲの情報を参照し、ＳＩＲが異常値を示しているか否かを判定する。
図８の例では、受信復調部２０１の片系（例えば、受信回路２１１）が故障しているため、ＢＢ処理部２０３の応答に含まれる２つのＳＩＲのうち一方が異常値を示している。この場合、呼処理制御部２０６は、受信復調部２０１に対し、ＳＩＲが異常値を示している受信回路（例えば、受信回路２１１）のＡＧＣ出力を要求する（ＡＧＣ情報要求）。
【００９７】
（Ｓ１０５）受信復調部２０１は、呼処理制御部２０６からＡＧＣ情報要求を受信した場合、ＡＧＣ情報要求に対する応答として、ＡＧＣ情報要求で指定された受信回路（例えば、受信回路２１１）のＡＧＣ出力を呼処理制御部２０６に送信する。
【００９８】
（Ｓ１０６）呼処理制御部２０６は、受信復調部２０１から受信したＡＧＣ出力を参照し、ＡＧＣ出力が異常値を示しているか否かを判定する。
図８の例では、受信復調部２０１の片系（例えば、受信回路２１１）が故障しているため、受信復調部２０１の応答に含まれるＡＧＣ出力は異常値を示している。この場合、呼処理制御部２０６は、対象の受信回路（例えば、受信回路２１１）について、ＳＩＲ及びＡＧＣ出力が異常値を示した回数をカウントアップする。
【００９９】
呼処理制御部２０６は、Ｓ１０２、Ｓ１０４の処理を繰り返し実行し、ＢＢ処理部２０３の応答に含まれるＳＩＲの異常及び受信復調部２０１の応答に含まれるＡＧＣ出力の異常を検知する。そして、呼処理制御部２０６は、ＳＩＲ及びＡＧＣ出力の異常が連続して所定回数（例えば、３回）検知された場合、受信復調部２０１に対応するＳＩＲ及びＡＧＣ出力に異常がある旨を示す情報（ＳＩＲ＆ＡＧＣ異常通知）を監視制御部２０５に送信する。
【０１００】
（Ｓ１０７）監視制御部２０５は、呼処理制御部２０６から受信したＳＩＲ＆ＡＧＣ異常通知を参照し、受信復調部２０１が片系故障（受信回路２１１、２１２の一方の故障）であるか、両系故障（受信回路２１１、２１２の両方の故障）であるかを判定する。
【０１０１】
図８の例では片系の故障であるため、ＳＩＲ＆ＡＧＣ異常通知には、１つの受信回路（例えば、受信回路２１１）に関するＳＩＲ及びＡＧＣ出力の異常を示す情報が含まれる。この場合、監視制御部２０５は、受信復調部２０１の片系故障であると判定する。
【０１０２】
（Ｓ１０８）監視制御部２０５は、片系故障の場合、受信復調部２０１に対するエラー制御を実施する。エラー制御は、受信復調部２０１の動作を停止せず、異常がない受信回路（例えば、受信回路２１２）を利用して動作させる制御である。例えば、受信回路２１１の故障である場合、監視制御部２０５は、受信復調部２０１に対して受信回路２１１の使用を停止し、受信回路２１２を利用して受信処理を継続するように指示する制御信号を送信する。
【０１０３】
（Ｓ１０９）受信復調部２０１は、監視制御部２０５からエラー制御を指示する制御信号を受信すると、制御信号の内容に応じたエラー処理を実行する。
例えば、受信回路２１１の故障である場合、受信復調部２０１は、受信回路２１１が故障している旨を示す情報を出力し、受信回路２１１の動作を停止させる。また、受信復調部２０１は、受信回路２１１に割り当てられているブランチの受信処理を受信回路２１２に実行させる。なお、情報の出力方法としては、例えば、無線基地局装置２００に接続されている表示画面やユーザが利用する端末の表示画面に、受信復調部２０１が被疑受信復調部である旨を表示する方法などがある。
【０１０４】
Ｓ１０９の処理が完了すると、図８に示した一連の処理が終了する。
（両系故障の場合）
次に、図９を参照しながら、無線基地局装置２００が受信復調部２０１に生じた故障（正常に動作していない状態）を検出する際に実行する処理の流れについて説明する。
【０１０５】
但し、ここでは受信復調部２０１のうち受信回路２１１、２１２の両方（両系）が故障している場合について述べる。なお、受信復調部２０２が故障している場合も図９と同様の処理が実行される。図９は、第２実施形態に係る無線基地局装置が受信復調部の故障を検出する際に実行する処理（両系故障の場合）の流れを示したシーケンス図である。
【０１０６】
（Ｓ１１１）監視制御部２０５は、予め設定されているタイミング（例えば、一定周期）で、ＬＮＡ１０３、１０４と受信復調部２０１、２０２との接続状態を確認する。
なお、接続状態は、ＬＮＡ１０３、１０４から一定周期で監視制御部２０５に通知されてもよいし、監視制御部２０５による問い合わせに応じてＬＮＡ１０３、１０４から監視制御部２０５に通知されてもよい。接続状態を確認した監視制御部２０５は、接続状態の確認結果を呼処理制御部２０６に通知する（状態通知）。
【０１０７】
（Ｓ１１２）呼処理制御部２０６は、予め設定されているタイミングでＢＢ処理部２０３にＳＩＲの通知要求（ＳＩＲ要求）を送信する。
但し、呼処理制御部２０６は、監視制御部２０５から受信した状態通知を参照し、ＬＮＡ１０３と受信復調部２０１とが接続されている場合に受信復調部２０１を対象とするＳ１１２以降の処理を実行する。つまり、呼処理制御部２０６は、受信復調部２０１に入力されるＲＦ信号がＬＮＡ１０３を介して入力されていない場合、受信復調部２０１に関するＳ１１２以降の処理を回避する。
【０１０８】
同様に、呼処理制御部２０６は、ＬＮＡ１０４と受信復調部２０２とが接続されている場合に受信復調部２０２を対象とするＳ１１２以降の処理を実行する。つまり、呼処理制御部２０６は、受信復調部２０２に入力されるＲＦ信号がＬＮＡ１０４を介して入力されていない場合、受信復調部２０２に関するＳ１１２以降の処理を回避する。
【０１０９】
なお、ＳＩＲ要求を送信するタイミングとしては、例えば、一定周期、予め設定されているイベント（ユーザの指示やスループットの低下など）の発生、状態通知の回数が所定回数に達した場合などがある。図９の例では、表記の都合上、ＢＢ処理部２０３だけにＳＩＲ要求が送信されているが、呼処理制御部２０６は、ＢＢ処理部２０４に対してもＳＩＲ要求を送信する。
【０１１０】
（Ｓ１１３）ＢＢ処理部２０３は、呼処理制御部２０６からＳＩＲ要求を受信すると、ＳＩＲ要求に対する応答として、ＳＩＲ計算部２３１ｂ、２３２ｂから出力されるＳＩＲの情報を呼処理制御部２０６に送信する。なお、ＳＩＲ要求を受信したＢＢ処理部２０４も同様に呼処理制御部２０６に対してＳＩＲの情報（応答）を返すが、図９の例ではＢＢ処理部２０４のＳＩＲに異常がないとする。
【０１１１】
（Ｓ１１４）呼処理制御部２０６は、ＢＢ処理部２０３、２０４から受信したＳＩＲの情報を参照し、ＳＩＲが異常値を示しているか否かを判定する。
図９の例では、受信復調部２０１の受信回路２１１、２１２がいずれも故障しているため、ＢＢ処理部２０３の応答に含まれる２つのＳＩＲが異常値を示している。この場合、呼処理制御部２０６は、受信復調部２０１に対して受信回路２１１、２１２のＡＧＣ出力を要求する（ＡＧＣ情報要求）。
【０１１２】
（Ｓ１１５）受信復調部２０１は、呼処理制御部２０６からＡＧＣ情報要求を受信した場合、ＡＧＣ情報要求に対する応答として、ＡＧＣ情報要求で指定された受信回路（この場合は受信回路２１１、２１２）のＡＧＣ出力を呼処理制御部２０６に送信する。
【０１１３】
（Ｓ１１６）呼処理制御部２０６は、受信復調部２０１から受信したＡＧＣ出力を参照し、ＡＧＣ出力が異常値を示しているか否かを判定する。
図９の例では、受信復調部２０１の両系（受信回路２１１、２１２）が故障しているため、受信復調部２０１の応答に含まれる２つのＡＧＣ出力はいずれも異常値を示している。この場合、呼処理制御部２０６は、受信回路２１１、２１２について、それぞれＳＩＲ及びＡＧＣ出力が異常値を示した回数をカウントアップする。
【０１１４】
呼処理制御部２０６は、Ｓ１１２、Ｓ１１４の処理を繰り返し実行し、ＢＢ処理部２０３の応答に含まれるＳＩＲの異常及び受信復調部２０１の応答に含まれるＡＧＣ出力の異常を検知する。そして、ＳＩＲ及びＡＧＣ出力の異常が連続して所定回数（例えば、３回）検知された場合、呼処理制御部２０６は、受信復調部２０１に対応するＳＩＲ及びＡＧＣ出力に異常がある旨を示す情報（ＳＩＲ＆ＡＧＣ異常通知）を監視制御部２０５に送信する。
【０１１５】
図９の例では、受信回路２１１について異常が連続して所定回数検知され、受信回路２１２について異常が連続して所定回数検知される。この場合、呼処理制御部２０６は、受信回路２１１、２１２の両方に異常があることを示すＳＩＲ＆ＡＧＣ異常通知を監視制御部２０５に送信する。
【０１１６】
（Ｓ１１７）監視制御部２０５は、呼処理制御部２０６から受信したＳＩＲ＆ＡＧＣ異常通知を参照し、受信復調部２０１が片系故障（受信回路２１１、２１２の一方の故障）であるか、両系故障（受信回路２１１、２１２の両方の故障）であるかを判定する。
【０１１７】
図９の例では両系の故障であるため、ＳＩＲ＆ＡＧＣ異常通知には、受信回路２１１、２１２に関するＳＩＲ及びＡＧＣ出力の異常を示す情報が含まれる。この場合、監視制御部２０５は、受信復調部２０１の両系故障であると判定する。
【０１１８】
（Ｓ１１８）監視制御部２０５は、両系故障の場合、受信復調部２０１に対する故障制御を実施する。故障制御は、受信復調部２０１の動作を停止させる制御である。監視制御部２０５は、受信復調部２０１に対して動作の停止を指示する制御信号を送信する。
【０１１９】
（Ｓ１１９）受信復調部２０１は、監視制御部２０５から故障制御を指示する制御信号を受信すると、制御信号の内容に応じた故障処理を実行する。例えば、受信復調部２０１は、故障による動作の停止を通知する情報を出力して受信復調部２０１の動作を停止する。なお、情報の出力方法としては、例えば、無線基地局装置２００に接続されている表示画面やユーザが利用する端末の表示画面に、受信復調部２０１が被疑受信復調部である旨を表示する方法などがある。
【０１２０】
Ｓ１１９の処理が完了すると、図９に示した一連の処理が終了する。
（呼処理制御部の動作）
ここで、図１０を参照しながら、呼処理制御部２０６が実行する処理について、さらに説明する。図１０は、第２実施形態に係る呼処理制御部が実行する処理の流れを示したフロー図である。
【０１２１】
なお、ここでは、説明の都合上、無線基地局装置２００にＮ個（Ｎは２以上の整数）のＢＢ処理部及びＮ個の受信復調部が搭載されているとする。また、信号分離装置１００にＮ個のＬＮＡが搭載されているとする。以下、ｎ番目のＢＢ処理部をＢＢ処理部＃ｎと表記し、ＢＢ処理部＃ｎに対応するｎ番目の受信復調部を受信復調部＃ｎと表記する。ＢＢ処理部＃ｎ（ｎ＝１，…，Ｎ）は、ＢＢ処理部２０３と実質的に同じ機能を有する。受信復調部＃ｎは、受信復調部２０１と実質的に同じ機能を有する。
【０１２２】
（Ｓ１２１）呼処理制御部２０６は、監視制御部２０５から受信した状態通知に基づいて、受信復調部＃ｎ（ｎ＝１，…，Ｎ）に接続される信号分離装置１００があるか否かを判定する。信号分離装置１００がある場合、処理はＳ１２２へと進む。一方、信号分離装置１００がない場合、図１０に示した一連の処理は終了する。
【０１２３】
（Ｓ１２２、Ｓ１２９）呼処理制御部２０６は、パラメータｎを１からＮまで変更しながら、Ｓ１２３からＳ１２９までの処理を繰り返し実行する。
なお、呼処理制御部２０６は、信号分離装置１００のＬＮＡに接続されていない受信復調部がある場合、その受信復調部に対応するパラメータをスキップし、そのパラメータに関するＳ１２３以降の処理を回避する。例えば、受信復調部＃ｋが信号分離装置１００のＬＮＡに接続されていない場合、呼処理制御部２０６は、パラメータ（ｋ−１）に関する処理の実行後、パラメータｋに関する処理をスキップする。
【０１２４】
（Ｓ１２３）呼処理制御部２０６は、ＢＢ処理部＃ｎからＳＩＲを取得する。例えば、呼処理制御部２０６は、ＢＢ処理部＃ｎに対してＳＩＲの通知を要求するＳＩＲ要求を送信する。ＳＩＲ要求を受けたＢＢ処理部＃ｎは、複数のブランチのそれぞれについてベースバンド信号から計算されるＳＩＲを呼処理制御部２０６に送信する。そして、呼処理制御部２０６は、ＢＢ処理部＃ｎからＳＩＲの情報を受信する。
【０１２５】
（Ｓ１２４）呼処理制御部２０６は、複数のブランチのそれぞれについて、ＢＢ処理部＃ｎから取得したＳＩＲに異常があるか否かを判定する。全てのＳＩＲに異常がない場合、処理はＳ１２８へと進む。一方、少なくとも１つのＳＩＲに異常がある場合、異常値を示すＳＩＲについてＳ１２５以降の処理が実行される。
【０１２６】
ＳＩＲが異常であるか否かを判定する際、例えば、呼処理制御部２０６は、通常の運用時における最低のＳＩＲ（干渉波レベル）を基準値（−Ａ［ｄＢｍ］；Ａ＞０）とし、閾値（−Ａ−３）［ｄＢｍ］を利用して判定を実施する。なお、この閾値は、メモリ２６２に予め格納されており、呼処理制御部２０６のＣＰＵ２６１が、ＳＩＲと閾値（−Ａ−３）とを比較し、「ＳＩＲ＜−Ａ−３」である場合にＳＩＲが異常であると判定する。一方、ＣＰＵ２６１は、「ＳＩＲ≧−Ａ−３」である場合にＳＩＲが異常でないと判定する。
【０１２７】
（Ｓ１２５）呼処理制御部２０６は、異常と判定したＳＩＲに対応する受信回路のＡＧＣ出力を受信復調部＃ｎから取得する。例えば、呼処理制御部２０６は、異常と判定したＳＩＲに対応する受信回路の情報と、その受信回路のＡＧＣ出力を要求する命令とを含むＡＧＣ情報要求を受信復調部＃ｎに送信する。ＡＧＣ情報要求を受信した受信復調部＃ｎは、対象の受信回路から得られるＡＧＣ出力を呼処理制御部２０６に送信する。そして、呼処理制御部２０６は、受信復調部＃ｎからＡＧＣ出力の情報を受信する。
【０１２８】
（Ｓ１２６）呼処理制御部２０６は、異常と判定したＳＩＲに対応するＡＧＣ出力のそれぞれについて、ＢＢ処理部＃ｎから取得したＡＧＣ出力に異常があるか否かを判定する。全てのＡＧＣ出力に異常がない場合、処理はＳ１２８へと進む。一方、少なくとも１つのＡＧＣ出力に異常がある場合、異常値を示すＡＧＣ出力についてＳ１２７の処理が実行される。
【０１２９】
ＡＧＣ出力が異常であるか否かを判定する際、例えば、呼処理制御部２０６は、通常の運用時における最低のＡＧＣ出力を基準値（−Ｂ［ｄＢｍ］；Ｂ＞０）とし、閾値（−Ｂ−３）［ｄＢｍ］を利用して判定を実施する。なお、この閾値は、メモリ２６２に予め格納されており、呼処理制御部２０６のＣＰＵ２６１が、ＡＧＣ出力と閾値（−Ｂ−３）とを比較し、「ＡＧＣ出力＜−Ｂ−３」である場合にＡＧＣ出力が異常であると判定する。一方、ＣＰＵ２６１は、「ＡＧＣ出力≧−Ｂ−３」である場合にＡＧＣ出力が異常でないと判定する。
【０１３０】
（Ｓ１２７）呼処理制御部２０６は、異常があると判定したＡＧＣ出力に対応する異常カウンタ＃ｎをインクリメントする。異常カウンタ＃ｎは、受信復調部＃ｎの各受信回路についてＳＩＲ及びＡＧＣ出力に連続して異常が検出された回数をカウントするためのカウンタである。例えば、受信復調部＃ｎにｑ個（ｑは１以上の整数）の受信回路がある場合、ｑ個の異常カウンタ＃ｎ（カウンタ＃ｎ１、…、＃ｎｑ）を利用することで、各受信回路における異常の検出回数をカウントすることができる。
【０１３１】
例えば、受信復調部＃ｎにあるｑ1番目の受信回路及びｑ2番目の受信回路についてＳＩＲ及びＡＧＣ出力に異常が検出された場合、呼処理制御部２０６は、カウンタ＃ｎq1、＃ｎq2をインクリメントし、他のカウンタ＃ｎk（ｋ≠ｑ1、ｑ2）を０にリセットする。つまり、連続して異常が検出された受信回路に対応する異常カウンタ＃ｎのカウント数が増加する。Ｓ１２７の処理が完了すると、処理はＳ１２８へと進む。
【０１３２】
（Ｓ１２８）呼処理制御部２０６は、現在のパラメータｎについてＳ１２３以降の処理をＭ回（例えば、Ｍ＝３）実施したか否かを判定する。Ｓ１２３以降の処理をＭ回実施していない場合、処理はＳ１２３へと進む。一方、Ｓ１２３以降の処理をＭ回実施した場合、処理はＳ１２９へと進む。処理がＳ１２９へと進んだ場合、ｎがＮであれば処理はＳ１３０へと進み、ｎがＮ未満であればＳ１２２でｎが更新され、更新後のｎについてＳ１２３以降の処理が実行される。
【０１３３】
（Ｓ１３０）呼処理制御部２０６は、異常カウンタが閾値（例えば、Ｍ−１）以上の受信回路を有する受信復調部の情報を監視制御部２０５に通知する（異常通知）。例えば、カウンタ＃１3、＃２2が（Ｍ−１）以上である場合、呼処理制御部２０６は、受信復調部＃１が有する３番目の受信回路、及び受信復調部＃２が有する２番目の受信回路にＳＩＲ及びＡＧＣ出力の異常が検出された旨を監視制御部２０５に通知する。Ｓ１３０の処理が完了すると、図１０に示した一連の処理は終了する。
【０１３４】
（監視制御部の動作）
次に、図１１を参照しながら、監視制御部２０５が実行する処理について、さらに説明する。図１１は、第２実施形態に係る監視制御部が実行する処理の流れを示したフロー図である。なお、図１０の説明と同様に、説明の都合上、無線基地局装置２００にＮ個（Ｎは２以上の整数）のＢＢ処理部及びＮ個の受信復調部が搭載されているとする。
【０１３５】
（Ｓ１４１）監視制御部２０５は、呼処理制御部２０６から異常通知（図１０のＳ１３０を参照）を受信する。異常通知には、異常がある受信復調部＃ｎの情報が含まれる。
（Ｓ１４２）監視制御部２０５は、異常通知の内容を参照し、異常がある受信復調部を１つ選択する。
【０１３６】
（Ｓ１４３）監視制御部２０５は、異常通知の内容を参照し、選択した受信復調部が片系故障（一部の受信回路が故障している状態）であるか否かを判定する。
例えば、ｗ個（ｗは１以上の整数）の受信回路がある受信復調部＃ｖを選択した場合、受信復調部＃ｖについて異常通知に示された受信回路の個数がｗ個未満であるとき、監視制御部２０５は、受信復調部＃ｖが片系故障であると判定する。一方、異常通知に示された受信回路の個数がｗ個の場合、監視制御部２０５は、片系故障でないと判定する。
【０１３７】
片系故障であると判定された場合、処理はＳ１４４へと進む。一方、片系故障でないと判定された場合、処理はＳ１４５へと進む。
（Ｓ１４４）監視制御部２０５は、選択した受信復調部に対してエラー制御を実行する。例えば、監視制御部２０５は、異常通知に示されている受信回路の動作を停止させ、残りの受信回路を利用して処理を継続するように制御する制御信号を受信復調部に送信する（エラー制御）。Ｓ１４４の処理が完了すると、処理はＳ１４６へと進む。
【０１３８】
（Ｓ１４５）監視制御部２０５は、選択した受信復調部に対して故障制御を実行する。
例えば、監視制御部２０５は、選択した受信復調部の動作を停止させる制御を実施する。また、監視制御部２０５は、選択した受信復調部の故障を通知し、その受信復調部の動作を停止させる旨を通知する情報（故障情報）を出力する。例えば、監視制御部２０５は、無線基地局装置２００に接続されている表示画面やユーザが利用する端末装置の表示画面に故障情報を表示させる。Ｓ１４５の処理が完了すると、処理はＳ１４６へと進む。
【０１３９】
（Ｓ１４６）監視制御部２０５は、異常がある受信復調部を選択し終えたか否かを判定する。異常がある受信復調部を選択し終えた場合、図１１に示した一連の処理は終了する。一方、異常がある受信復調部を選択し終えていない場合、処理はＳ１４２へと進む。
【０１４０】
以上、無線基地局装置２００が実行する処理の流れについて説明した。
上記のように、ＳＩＲの異常だけでなく、ＡＧＣ出力の異常を併せて検知することで、故障がある受信復調部を精度良く特定することができる。また、ＳＩＲ及びＡＧＣ出力の異常を繰り返し確認し、連続して異常が検知された場合に故障と判定することで、故障がある受信復調部の検出精度を高めることができる。さらに、ＬＮＡに接続されていない受信復調部に対する上記の判定を回避することで、ノイズの影響により誤判定が生じるリスクを低減でき、故障がある受信復調部の検出精度を高めることに寄与する。
【０１４１】
以上、第２実施形態について説明した。
【符号の説明】
【０１４２】
１０  基地局装置
１１、１２  受信部
１１ａ、１２ａ  調整部
１１ｂ、１２ｂ  復調部
１３  制御部
１３ａ  メモリ
２０  前段装置
２１ａ、２１ｂ  アンテナ
２２ａ、２２ｂ  ノイズ低減部
３１、３２  干渉波レベル
４１、４２  調整量
ｔ1、ｔ2  時刻
Ｔ  期間
ＴＨ1、ＴＨ2  閾値
【図１】
2018061144.tif 000003
【図２】
2018061144.tif 000004
【図３】
2018061144.tif 000005
【図４】
2018061144.tif 000006
【図５】
2018061144.tif 000007
【図６】
2018061144.tif 000008
【図７】
2018061144.tif 000009
【図８】
2018061144.tif 000010
【図９】
2018061144.tif 000011
【図１０】
2018061144.tif 000012
【図１１】
2018061144.tif 000013